(57)【特許請求の範囲】
【請求項１】
実験動物としてのマーモセット類を拘束する装置であって、前後方向両端が開口した胴部包囲用筒状部と、その前方開口した一端の外側に配置した頭部載置台と、同後方開口した他端の外側に配置した腰部固定台とを備え、この腰部固定台に拘束バンドが設けられてなる実験動物拘束装置。
【請求項２】
腰部固定台が胴部包囲用筒状部に対して遠近方向移動可能に設けられてなる請求項１記載の実験動物拘束装置。
【発明の詳細な説明】
【０００１】
【発明の属する技術分野】
本発明は、医学的試験に供する実験動物としてのマーモセット類に種々の施術を施す際に使用する実験動物拘束装置に関する。
【０００２】
【従来技術とその課題】
従来より、種々の医学的試験のために、モルモットや二十日鼠等の鼠類、犬猫類、カニクイザルやマーモセット類の如き猿類等、様々な実験動物が用いられている。特に猿類は人間に近いため、人間に対する治験の前段階での薬理試験等に重要である。
【０００３】
猿類の中でもマーモセット類は、真猿類−新世界猿−マーモセット科に属する小型霊長類であり、例えばコモンマーモセット（Ｃ：Marmoset、学名Callithrix）の成獣で体長（胴頭長）２００〜２５０ｍｍ、体重３００〜５００ｇ程度と小型であるため、扱い易く、飼育スペースも他の猿類に少なくて済むことから、Ａ型肝炎を始めとするウイルス性疾患や腫瘍、薬理や毒性等の幅広い実験研究に有用な実験動物として期待されており、近年では人工繁殖による供給体制も整いつつある。
【０００４】
しかるに、従来では、このようなマーモセット類の採血や注射行う際、施術者は一方の手で身体を掴んだ状態で、他方の手で注射器等を扱うのが普通であるが、生体であるから当然に暴れたりして動き易い上、身体の大きさからして血管等の目標部位も小さいため、非常に手間取るばかりか、誤った部位へ針を入れたり、施術者の手に針が刺さるといった事態が多々あった。
【０００５】
本発明は、上述の情況に鑑み、マーモセット類を対象として注射や採血を始めとする種々の施術を行う際、簡単な操作で容易に拘束状態とでき、且つ構造的に簡素な実験動物拘束装置を提供することを目的としている。
【０００６】
【課題を解決するための手段】
上記目的を達成するために、本発明の請求項１に係る実験動物拘束装置は、図面の参照符号を付して示せば、実験動物としてのマーモセット類を拘束する装置であって、前後方向両端が開口した胴部包囲用筒状部１と、その前方開口１０ａした一端の外側に配置する頭部載置台２と、同後方開口１０ｂした他端の外側に配置した腰部固定台３とを備え、この腰部固定台３に拘束バンド４ａ，４ｂが設けられてなるものとしている。
【０００７】
上記構成の実験動物拘束装置では、胴部包囲用筒状部１の腰部固定台３側の後方開口部１０ｂに手で掴んだマーモセット類を近づけると、マーモセット類の習性から、該筒状部１内に這い込んで反対側の前方開口部１０ａより抜け出そうとするから、両足（後脚）を掴んだままで該筒状部１内に腹這いで潜り込ませ、反対側の前方開口部１０ａから頭と両手（前脚）が出た時点で、両足を１８０度入れ替えるように捩じれば、そのまま簡単に身体が反転して仰向け状態になり、その腰の部分を拘束バンド４ａ，４ｂにて腰部固定台３上に留めることにより、腹部を上に露呈した体勢で拘束できる。
【０００８】
請求項２の発明は、上記請求項１の実験動物拘束装置において、腰部固定台３が胴部包囲用筒状部１に対して遠近方向移動可能に設けられてなるものとしている。この場合、拘束対象とするマーモセット類の体長の違いに応じて、胴部包囲用筒状部１と腰部固定台３とが適当な間隔になるように調整できる。
【０００９】
【発明の実施の形態】
以下に、本発明に係る実験動物拘束装置の一実施例について、図面を参照して具体的に説明する。
【００１０】
図１に示すように、この実験動物拘束装置は、両端が開口した前後方向に沿う円形横孔１０を有する胴部包囲用筒状部１と、その前方開口部１０ａに対向配置する左右方向に長い矩形ブロック状の頭部載置台２と、同後方開口部１０ｂに対向配置する左右方向に長い矩形ブロック状の腰部固定台３とが、２本の平行なボルト状の金属製連結棒５，５を介して連結されている。しかして、胴部包囲用筒状部１と頭部載置台２及び腰部固定台３は、いずれもゴム又は合成樹脂の硬質ないし半硬質成形物からなり、略等しい左右幅を有すると共に、各々の平坦な底面１ａ，２ａ，３ａが連結状態で同一レベルとなるように設定されている。
【００１１】
連結棒５，５は、胴部包囲用筒状部１の下部左右両側の厚肉部１ａ，１ａを円形横孔１０の軸線方向と平行に貫通し、その頭部５ａ，５ａ側が頭部載置台２に埋入すると共に、先端側の雄ねじ部５ｂ，５ｂが腰部固定台３を貫通しており、この貫通部分を挟む前後両側に位置決め用ナット７ａ，７ｂが螺着されている。そして、胴部包囲用筒状部１及び頭部載置台２は連結棒５，５に一体化しているが、腰部固定台３は連結棒５，５に沿って前後移動可能であって、位置決め用ナット７ａ，７ｂによって所要の位置で固定できるようになっている。
【００１２】
腰部固定台３の左右両側には、相互に脱着し得る圧着ファスナー６ａ，６ｂを設けた拘束バンド４ａ，４ｂが止着されている。また、頭部載置台２の上面は前部側の高い２段状をなしており、この低段部２ｂと胴部包囲用筒状部１の円形横孔１０の底部と腰部固定台３の上面３ｂとが略同じ高さに設定されている。
【００１３】
上記構成の実験動物拘束装置を用いてマーモセット類に対する採血や注射等を行う場合、まず施術対象とするマーモセット類の体長に応じて腰部固定台３の位置を定めて位置決め用ナット７ａ，７ｂによって固定し、装置全体をテーブル等の適当な平面上に置く。しかして、手で掴んだマーモセット類を胴部包囲用筒状部１の後方開口部１０ｂに近づけると、マーモセット類の習性から、その円形横孔１０に這い込んで前方開口部１０ａより抜け出そうとするから、両足（後脚）を掴んだままで該円形横孔１０に腹這いで潜り込ませる。そして、前方開口部１０ａから頭と両手（前脚）が出た時点で、両足を１８０度入れ替えるように捩じる。これにより、マーモセット類の身体が反転して簡単に仰向け状態になるから、その腰の部分を拘束バンド４ａ，４ｂにて腰部固定台３上に留めることにより、腹部を上に露呈した体勢で拘束できる。
【００１４】
この拘束状態としたマーモセット類は、習性的に、胴部包囲用筒状部１の前方開口部１０ａより抜出しようとする意識だけで、頭と両手を円形横孔１０に潜り戻して後方開口部１０ｂから出ようとする挙動は示さないため、下肢や腹部の所要部位を選んで採血や注射等を楽に施すことができる。また、この拘束装置では、マーモセット類の腰部を固定するだけで、四肢をがんじがらめにするような無理な拘束状態にはならないから、マーモセット類に与える肉体的及び精神的な負担が少なく、施術後の継続飼育に支障を生じない。
【００１５】
なお、上記実施例では胴部包囲用筒状部１と頭部載置台２及び腰部固定台３が分離しているが、これらを一体化した構造としてもよい。ただし、腰部固定台３については、マーモセット類の個体差による体長の違いに対応する上で、胴部包囲用筒状部１とは別体で当該筒状部１に対して遠近方向移動可能とすることが望ましい。この遠近方向移動可能とするには、前記実施例のような連結棒５，５を用いた構造に限らず、種々のスライド機構等を採用できる。また、腰部固定台３を所定位置で固定する手段についても、様々な方式を採用できる。更に、拘束バンド４ａ，４ｂの留め付けには、実施例のような圧着ファスナー６ａ，６ｂに代えて、バックル方式等の他の手段を用いてもよい。
【００１６】
その他、本発明の実験動物拘束装置は、胴部包囲用筒状部１と頭部載置台２及び腰部固定台３の外形、これらの連結構造、頭部載置台２及び腰部固定台３の上面形状、腰部固定台３における拘束バンド４ａ，４ｂの取付構造等、細部構成については実施例以外に種々設計変更可能である。
【００１７】
【発明の効果】
請求項１の発明によれば、医学的試験に供するマーモセット類に種々の施術を施す際に使用する実験動物拘束装置として、簡単な操作で施術に適した状態に容易に拘束でき、したも拘束状態でマーモセット類に与える肉体的及び精神的な負担が少なく、且つ構造的に簡素で安価に製作できるものが提供される。
【００１８】
請求項２の発明によれば、上記の実験動物拘束装置として、特に施術対象とするマーモセット類の個体差による体長の違いに応じて、腰部固定台の位置を調整できるものが提供される。
【図面の簡単な説明】
【図１】本発明の一実施例に係る実験動物拘束装置の斜視図。
【符号の説明】
１          胴部包囲用筒状部
１０        円形横孔
１０ａ      前方開口部
１０ｂ      後方開口部
２          頭部載置台
３          腰部固定台
４ａ，４ｂ  拘束バンド
５          連結バンド
５ｂ，５ｂ  雄ねじ部
６ａ，６ｂ  圧着ファスナー
７ａ，７ｂ  位置決め用ナット
【図１】
0003547345.tif 000002